(57)【要約】      （修正有）【課題】  一般的なテレビ電話システムは、システムが大規模であり、かつ、複雑すぎる。【解決手段】  通信開始時（接続時）は、まず、テレビ受像機１から携帯テレビ電話に向けて、通信への参入要求信号１０１が送信され、携帯テレビ電話は、テレビ受像機に向けて参入応答信号１０２をキー情報ＩＤ１と共に送信する。次に、携帯テレビ電話の切り換えボタンを押すと（１０４）、テレビ受像機に対して、接続要求１０５をキー情報ＩＤ２と共に送信する。ここで、キー情報ＩＤ１とキー情報ＩＤ２との比較（キー判定１０６）を行い、一致しない場合には（Ｎｏ）、その後の処理は行われないので、接続は許可されないキー判定においてキー情報が一致すれば（ＹＥＳ）、テレビ受像機１から携帯テレビ電話に向けて接続を許可する旨の接続許可信号が送信される。【選択図】  図５
2005287013.tif 000002
【特許請求の範囲】
【請求項１】
通話用の第１の通信部を有する携帯端末と、表示部と放送受信用のチューナ部とを有するテレビ受信装置とを備えた通信システムであって、
前記携帯端末は、該携帯端末から前記テレビ受信装置に向けて情報を無線により送信する第２の通信部を有しており、
前記テレビ受信装置は、前記第２の通信部から無線通信により送信された情報を無線により受信する第３の通信部と、該情報を出力する制御を行う出力制御部とを有することを特徴とする通信システム。
【請求項２】
前記テレビ受信装置又は前記携帯端末のいずれか一方である送信側が通信に参入する要求のための参入要求信号を送信し、該参入要求信号を受けた受信側が通信を開始したい旨の応答である参入応答信号を相手方に対して送ることにより、前記携帯端末と前記テレビ受像機とが接続可能状態となるように制御されることを特徴とする請求項１に記載の通信システム。
【請求項３】
さらに、前記携帯端末は、前記接続可能状態において、実際に通信を行いたいテレビ受像機をダイレクトに特定可能なダイレクト信号を送るダイレクト信号送信部を備え、前記テレビ受信装置は、前記ダイレクト信号を受けるダイレクト信号受信部を備えていることを特徴とする請求項１又は２に記載の通信システム。
【請求項４】
前記テレビ受信機は、
前記第２の通信部から送られ前記第３の通信部により受信される第１のキー情報と、前記ダイレクト信号に付随して送られる第２のキー情報とに基づいて、接続要求を送ってきた携帯端末を識別し、接続許可を与えるか否かを判定するキー判定部を有することを特徴とする請求項１から３までのいずれか１項に記載の通信システム。
【請求項５】
前記携帯端末及び前記テレビ受信装置は、前記情報を前記第１のキー情報又は前記第２のキー情報の少なくともいずれかにより暗号化又は復号する暗号化・復号部を有していることを特徴とする請求項１から４までのいずれか１項に記載の通信システム。
【請求項６】
前記テレビ受信装置は、前記参入応答信号を受けると、その旨を報知するためのアイコンを前記表示部に表示させることを特徴とする請求項２から５までのいずれか１項に記載の通信システム。
【請求項７】
前記テレビ受信装置は、前記ダイレクト信号に応答して接続許可信号を送る際に、前記表示部に前記携帯端末から送信される情報を表示するための子画面を形成する表示制御を行うことを特徴とする請求項３から６までのいずれか１項に記載の通信システム。
【請求項８】
前記携帯端末と前記テレビ受信装置とが無線通信している場合に、前記ダイレクト信号送信部から送られる通信を終了したい旨の信号を第３のキー情報とともに受け取ると、該第３のキー情報を前記第１又は第２のキー情報のうちの少なくともいずれかと比較し、この比較結果に基づいて実際に切断を許可するか否かを判定する判定部を備えていることを特徴とする請求項３から６までのいずれか１項に記載の通信システム。
【請求項９】
前記携帯端末は、撮像装置を備えたテレビ電話機能を有しており、前記表示部又は子画面には、通話相手側の状況が表示されることを特徴とする請求項１から８までに記載の通信システム。
【請求項１０】
前記テレビ受信装置は、撮像装置を備えていることを特徴とする請求項１から９までのいずれか１項に記載の通信装置。
【請求項１１】
前記情報は、前記携帯端末から前記テレビ受信装置に、向けて一方向通信により送られることを特徴とする請求項１から１０までのいずれか１項に記載の通信装置。
【請求項１２】
請求項１から１１までのいずれか１項に記載の通信システムに加えて、さらに、前記第２の通信部と関連付け可能な前記情報の配信サーバを有していることを特徴とする通信システム。
【請求項１３】
前記情報は、前記配信サーバから前記携帯端末が受信した情報であることを特徴とする請求項１２に記載の通信システム。
【請求項１４】
通話用の第１の通信部と、
通信部と表示部とを有する他の機器に向けて情報を無線により送信する第２の通信部と、
前記第１の通信部から受けた情報を前記他の機器に対して一方向通信するように制御する通信制御部と
を有することを特徴とする通信端末。
【請求項１５】
表示部と放送受信用のチューナ部と無線通信部とダイレクト受信部とを有するテレビ受信装置であって、
前記無線通信部において受信した情報を前記表示部に表示する際に、接続候補端末からの無線参入応答に付随して受けた第１のキー情報と、実際の接続端末から前記ダイレクト受信部が受けた接続要求に付随する第２のキー情報との照合を行い、照合結果に基づいて実際の情報の無線通信による送信を許可するか否かを決める判定部を有することを特徴とするテレビ受信装置。
【請求項１６】
さらに、前記接続候補端末からの無線参入応答を受けた際に、前記表示部に前記無線参入応答を受けた端末を識別するマークを表示する制御を行う表示制御部を有することを特徴とする請求項１５に記載のテレビ受信装置。
【請求項１７】
前記マークを表示する際、受信した電波強度に応じて表示の様態を変えることを特徴とする請求項１６記載のテレビ受信装置
【請求項１８】
前記表示制御部は、実際の接続端末から前記ダイレクト受信部が受けた接続要求に対して接続許可をした際に、接続許可した端末からの無線による情報を表示する子画面を前記表示部に生成する制御を行うことを特徴とする請求項１５から１７までのいずれか１項に記載のテレビ受信装置。
【請求項１９】
さらに、前記判定部は、接続中の端末からの切断要求を受けた際に、該切断要求に付随して受けた第３のキー情報と、前記第１又は第２のキー情報との照合を行い、照合結果に基づいて実際の情報の無線通信による送信を切断するか否かを決めることを特徴とする請求項１５から１８までのいずれか１項に記載のテレビ受信装置。
【請求項２０】
携帯端末と情報表示装置とを含む通信システムにおいて、
前記携帯端末は、映像および／または音声を前記情報表示装置に送信する通信手段と、
前記携帯端末を識別するキー情報を記憶する記憶手段と、
前記キー情報を送信する送信手段とを備え、
前記情報表示装置は、前記映像および／または音声を受信する受信手段と、
前記キー情報を受信する受信手段と、
前記キー情報に基づき前記映像および音声を受信するか否かを判定する判定手段と
を備えることを特徴とする通信システム。
【請求項２１】
携帯テレビ電話とテレビ受信装置からなるシステムにおいて、
前記携帯テレビ電話は、映像および／または音声をテレビ受信機に送信する通信手段と、
前記携帯テレビ電話を識別するキー情報を記憶する記憶手段と、
前記キー情報を送信する送信手段とを備え、
前記テレビ受信装置は、前記映像および／または音声を受信する受信手段と、
前記キー情報を受信する受信手段と、
前記キー情報に基づき前記映像および音声を受信するか否かを判定する判定手段と
を備えることを特徴とする通信システム。
【請求項２２】
通話用の第１の通信部と無線通信用の第２の通信部とを有する携帯端末と、表示部と放送受信用のチューナ部と無線通信用の第３の通信部とを有するテレビ受信装置とを備えた通信システムよる通信方法であって、
前記携帯端末と前記テレビ受信装置との間で、参入に関する要求と応答とを行う第１ステップと、
前記携帯端末から特定の前記テレビ受信装置に対してダイレクトに接続要求を行う第２ステップと、
前記特定のテレビ受信装置から前記携帯端末に対して無線により接続許可を出す第３ステップと、
前記携帯端末から前記テレビ受信装置に対して前記携帯端末が受信した情報を無線により一方向通信する第４ステップと
を有することを特徴とする通信方法。
【請求項２３】
前記第１ステップと前記第２ステップとにおいて、付随した第１及び第２のキー情報を送り、
第３のステップを実行する前提として、前記第１及び第２のキー情報の照合を行うステップを有することを特徴とする請求項２２に記載の通信方法。
【請求項２４】
請求項２２又は２３に記載の方法をコンピュータにより実行させるためのプログラム。
【請求項２５】
通話用の第１の通信部を有する携帯端末と、表示部と放送受信用のチューナ部とを有する１又は２以上のテレビ受信装置とを備えた通信システムであって、前記携帯端末は、該携帯端末から前記テレビ受信装置に向けて情報を無線により送信する第２の通信部を有しており、前記テレビ受信装置は、前記第２の通信部から無線通信により送信された情報を無線により受信する第３の通信部と、該情報を出力する制御を行う出力制御部とを有することを特徴とする通信システムであって、
前記携帯端末は、前記テレビ受信装置を識別する識別ＩＤに基づいて、前記テレビ受信装置の表示部のうちのいずれに前記第２の通信部からの前記情報を表示させるかを特定することを特徴とする通信システム。
【請求項２６】
前記携帯端末は、該携帯端末の操作キーと前記識別ＩＤとを関連付けするテーブルを記憶する記憶部を有しており、
前記操作キーの操作に基づいて、前記情報を表示させるテレビ受像機を特定可能な信号を送ることを特徴とする請求項２５に記載の通信システム。
【請求項２７】
前記携帯端末は、前記第１の通信部を利用した通話相手からの映像情報に含まれる表示に関する属性に基づいて、前記情報を表示させるテレビ受像機を特定することを特徴とする請求項２５に記載の通信システム。
【請求項２８】
通話用の第１の通信部と無線通信用の第２の通信部とを有する携帯端末と、表示部と放送受信用のチューナ部と無線通信用の第３の通信部とを有する１又は２以上のテレビ受信装置とを備えた通信システムよる通信方法であって、
前記携帯端末の操作キーと前記テレビ装置の識別ＩＤとを対応付けする第１のステップと、
前記携帯端末において、前記第１の通信部による着信を受けて、前記識別ＩＤと対応付けされた前記操作キーによるキー操作により前記識別ＩＤを有するテレビ受信装置に対してアクセスする第２ステップと、
前記識別ＩＤと前記テレビ受信装置の機器ＩＤとが一致するか否かを判定し、該判定の結果、前記識別ＩＤと前記機器ＩＤとが一致した場合に、一致したテレビ受信装置から前記携帯端末に対して接続許可を行う第３ステップと、
前記携帯端末から前記テレビ受信装置に対して前記携帯端末が受信した情報を無線により一方向通信する第４ステップと
を有することを特徴とする通信方法。
【請求項２９】
通話用の第１の通信部と無線通信用の第２の通信部とを有する携帯端末と、表示部と放送受信用のチューナ部と無線通信用の第３の通信部とを有する１又は２以上のテレビ受信装置とを備えた通信システムよる通信方法であって、
前記携帯端末の操作キーと前記テレビ装置の識別ＩＤとを対応付けする第１のステップと、
前記携帯端末において、前記第１の通信部による着信を受けた情報の表示特性に基づいて選択されるテレビ受信装置に対して前記識別ＩＤを伴ってアクセスする第２ステップと、
前記識別ＩＤと前記テレビ受信装置の機器ＩＤとが一致するか否かを判定し、該判定の結果、前記識別ＩＤと前記機器ＩＤとが一致した場合に、一致したテレビ受信装置から前記携帯端末に対して接続許可を行う第３ステップと、
前記携帯端末から前記テレビ受信装置に対して前記携帯端末が受信した情報を無線により一方向通信する第４ステップと
を有することを特徴とする通信方法。
【請求項３０】
コンピュータに請求項２８又は２９に記載のステップを実行させるためのプログラム。
【請求項３１】
通話用の第１の通信部を有する携帯端末と、表示部を有する表示装置とを備えた通信システムであって、
前記携帯端末は、該携帯端末から前記表示装置に向けて情報を無線により送信する第２の通信部を有しており、
前記表示装置は、前記第２の通信部から無線通信により送信された情報を無線により受信する第３の通信部と、該情報を出力する制御を行う出力制御部とを有することを特徴とする通信システム。
【発明の詳細な説明】
【技術分野】
【０００１】
本発明は、携帯電話を利用した通信技術に関し、特に、テレビ電話機能を有する携帯電話と、通信機能とモニタ表示機能とを有する他の電子機器との連携技術に関する。
【背景技術】
【０００２】
携帯電話とテレビジョン受像機を用いた通信システムとしては、ホームサーバと、テレビ電話システムと、携帯テレビ電話と、からなるシステムにおいて、携帯テレビ電話の通話相手に送信する映像信号を、テレビ電話システム側のカメラ映像にするか、或いは、携帯テレビ電話のカメラ映像にするかを選択できるシステムが提案されている（例えば、特許文献１参照）。
【０００３】
【特許文献１】特開2003-125365号公報
【発明の開示】
【発明が解決しようとする課題】
【０００４】
一般的なテレビ電話システムは、システムが大規模であり、かつ、複雑すぎるため、費用的な面、場所的な面から一般家庭においては利用しにくい。また、携帯テレビ電話の使い方としては、例えば、また、図１１（Ａ）に示すように、一般的な携帯電話のスタイルと異なり、矢印で示すように、利用者１００の正面から携帯電話１０３をのぞき込むスタイルになる。このようなスタイルでは、カメラ１０７が正面に位置するため自分の映像は相手方に送れるが、相手方からの音声を耳によりキャッチしにくいという問題がある。また、図１１（Ｂ）に示すように利用者１００が一般的な携帯電話１０３を用いるスタイルでは、利用者１００の耳にスピーカ１０７を、口にマイクロフォン１０５を近づける必要があるため、自分の映像を相手方に送るのは難しく、また、相手方の映像を見にくいという問題がある。
【０００５】
本発明は、携帯電話を利用した新しい携帯テレビ電話のスタイルを含む通信技術を提供することを目的とする。
【課題を解決するための手段】
【０００６】
本発明の一観点によれば、通話用の第１の通信部を有する携帯端末と、表示部と放送受信用のチューナ部とを有するテレビ受信装置とを備えた通信システムであって、前記携帯端末は、該携帯端末から前記テレビ受信装置に向けて情報を無線により送信する第２の通信部を有しており、前記テレビ受信装置は、前記第２の通信部から無線通信により送信された情報を無線により受信する第３の通信部と、該情報を出力する制御を行う出力制御部とを有することを特徴とする通信システムが提供される。
【０００７】
上記通信システムによれば、携帯端末が受信した情報を、テレビ受信装置において出力することができる。
【０００８】
前記テレビ受信装置又は前記携帯端末のいずれか一方である送信側が通信に参入する要求のための参入要求信号を送信し、該参入要求信号を受けた受信側が通信を開始したい旨の応答である参入応答信号を相手方に対して送ることにより、前記携帯端末と前記テレビ受像機とが接続可能状態となるように制御されることを特徴とする。さらに、前記携帯端末は、前記接続可能状態において、実際に通信を行いたいテレビ受像機をダイレクトに特定可能なダイレクト信号を送るダイレクト信号送信部を備え、前記テレビ受信装置は、前記ダイレクト信号を受けるダイレクト信号受信部を備えていることを特徴とする。これにより、接続候補装置の中から特定の装置をダイレクトに選択することができる。
【０００９】
前記テレビ受信機は、前記第２の通信部から送られ前記第３の通信部により受信される第１のキー情報と、前記ダイレクト信号に付随して送られる第２のキー情報とに基づいて、接続要求を送ってきた携帯端末を識別し、接続許可を与えるか否かを判定するキー判定部を有することを特徴とする。前記携帯端末及び前記テレビ受信装置は、前記情報を前記第１のキー情報又は前記第２のキー情報の少なくともいずれかにより暗号化又は復号する暗号化・復号部を有していることを特徴とする。これにより、接続される端末を識別し、アクセスを確実にすることができる。
【００１０】
前記テレビ受信装置は、前記参入応答信号を受けると、その旨を報知するためのアイコンを前記表示部に表示させることを特徴とする。ユーザは、このアイコンにより、携帯端末と接続状態になったことを知ることができる。
【００１１】
前記テレビ受信装置は、予めいくつかのアイコンを用意しておき、受信した電波の受信強度に応じて、どのアイコンを表示するか選択することができる。
【００１２】
前記テレビ受信装置は、前記ダイレクト信号に応答して接続許可信号を送る際に、前記表示部に前記携帯端末から送信される情報を表示するための子画面を形成する表示制御を行うことを特徴とする。情報を見るための子画面を設けることで、テレビ放送に基づく表示も継続して視聴することができる。
【００１３】
前記携帯端末と前記テレビ受信装置とが無線通信している場合に、前記ダイレクト信号送信部から送られる通信を終了したい旨の信号を第３のキー情報とともに受け取ると、該第３のキー情報を前記第１又は第２のキー情報のうちの少なくともいずれかと比較し、この比較結果に基づいて実際に切断を許可するか否かを判定する判定部を備えていることを特徴とする。これにより、無関係な携帯端末からの切断要求により通信が切断するのを防止することができる。
【００１４】
前記情報は、前記携帯端末から前記テレビ受信装置に、向けて一方向通信により送られることを特徴とする。これにより、両者間の帯域を確保しやすくなり、良質な情報を視聴可能になる。上記通信システムに加えて、さらに、前記第２の通信部と関連付け可能な前記情報の配信サーバを有していると、様々な情報を携帯端末経由でテレビ受信装置において見ることができる。
【００１５】
本発明の他の観点によれば、通話用の第１の通信部と、通信部と表示部とを有する他の機器に向けて情報を無線により送信する第２の通信部と、前記第１の通信部から受けた情報を前記他の機器に対して一方向通信するように制御する通信制御部とを有することを特徴とする通信端末が提供される。
【００１６】
また、表示部と放送受信用のチューナ部と無線通信部とダイレクト受信部とを有するテレビ受信装置であって、前記無線通信部において受信した情報を前記表示部に表示する際に、接続候補端末からの無線参入応答に付随して受けた第１のキー情報と、実際の接続端末から前記ダイレクト受信部が受けた接続要求に付随する第２のキー情報との照合を行い、照合結果に基づいて実際の情報の無線通信による送信を許可するか否かを決める判定部を有することを特徴とするテレビ受信装置が提供される。
【００１７】
本発明のさらに別の観点によると、通話用の第１の通信部と無線通信用の第２の通信部とを有する携帯端末と、表示部と放送受信用のチューナ部と無線通信用の第３の通信部とを有するテレビ受信装置とを備えた通信システムよる通信方法であって、前記携帯端末と前記テレビ受信装置との間で、参入に関する要求と応答とを行う第１ステップと、前記携帯端末から特定の前記テレビ受信装置に対してダイレクトに接続要求を行う第２ステップと、前記特定のテレビ受信装置から前記携帯端末に対して無線により接続許可を出す第３ステップと、前記携帯端末から前記テレビ受信装置に対して前記携帯端末が受信した情報を無線により一方向通信する第４ステップとを有することを特徴とする通信方法が提供される。
【発明の効果】
【００１８】
本発明によれば、携帯電話から送られてきた情報をテレビ受像機側で見ることにより、電話の通話スタイルを変えることなく、通話が可能になるという利点がある。また、携帯電話からテレビ受像機への一方向通信を行えば、品質の良い映像を表示又は音楽を出力させることができる。
【発明を実施するための最良の形態】
【００１９】
発明者は、家庭にあるテレビジョン受像機などに携帯電話から取得した映像のみを無線で送信し、テレビジョン受像機でその映像を見ることができれば便利であると考えた。さらに、テレビジョン受像機が多く存在する場合には、近くにある希望のテレビジョン受像機にのみ映像を表示させたいと考えた。そのために、携帯電話に用いた新しい使用スタイルを提案する。新しいスタイルとは、例えば、屋外では通常の携帯電話としての使用、屋内ではテレビ電話としての使用、及び、複数のテレビジョン受像機から特定のテレビジョン受像機を選択し、それに映像などを映すものである。
【００２０】
以下、本発明の第１の実施の形態による通信技術について、図面を参照しつつ説明を行う。図１は、本実施の形態による通信システムの構成例を示す図である。図１に示すように、本実施の形態による通信システムＡは、テレビ受像機１と、携帯テレビ電話３と、公衆網（ネットワーク）５と、を含んで構成される。携帯テレビ電話３は、通信機能の他に、モニタ画面２１と、入力部２３と、撮像装置２５と、を有しており、公衆網５を介して相手方と通話したり、種々の情報を取得したりすることができる。一方、テレビ受像機１は、通信機能とともに、テレビ画面１１と、を有している。さらに撮像装置１７を備えていても良いが、必須の構成ではない。テレビ画面１１には、後述するように子画面１５を表示させることもできる。図３は、本実施の形態による携帯テレビ電話３のシステム構成例を示す機能ブロック図である。図３に示すように、本実施の形態による携帯テレビ電話３は、制御部５１と、ＬＡＮなどの無線通信部５２と、携帯電話通信部５３と、撮像部（カメラ）５４と、マイクロフォン５５と、操作部５６と、記録部５７と、表示部（ＬＣＤモニタ）５８と、スピーカ５９と、リモコン発光部６０と、を有している。制御部５１は、暗号化・復号処理部５１ａを有している。図４は、本実施の形態によるテレビ受像機１のシステム構成例を示す機能ブロック図である。図４に示すように、本実施の形態によるテレビ受像機１は、制御部７１と、ＬＡＮなどの無線通信部７２と、放送受信部７３と、撮像部（カメラ）７４と、マイクロフォン７５と、操作部７６と、記録部７７と、表示部（ＬＣＤモニタ）７８と、スピーカ７９と、リモコン受光部８０と、を有している。制御部７１は、暗号化・復号処理部７１ａを有している。テレビ受像機１は、例えば一般的なテレビ以外に、表示装置と通信機能とを有する機器、例えば、ＴＶチューナ付きのパーソナルコンピュータなども含まれる。
【００２１】
図２は、本実施の形態による通信システムの利用方法の一例を示す図である。図２に示すように、部屋Ｒ１と、例えば左右又は上下方向に近接する部屋Ｒ２とがあり、それぞれの部屋Ｒ１、Ｒ２には、それぞれ、テレビ受像機３１と、テレビ受像機４５と、が配置されている。部屋Ｒ１と部屋Ｒ２とは、同じ部屋の異なるスペースを想定しても良い。図２に示すように、携帯テレビ電話３５のユーザがテレビ受像機３１と４５とのうち、テレビ受像機３１を選択すると、テレビ受像機３１のテレビ画面に例えば携帯電話機のマーク４１が表示され、携帯テレビ電話３５とテレビ受像機３１とが、通信可能状態に入ったことを報知する。この際、テレビ受像機４５には、マークは表示されず、通信可能状態には入っていない。尚、切り換えボタン３７は、携帯電話に表示する映像とテレビ受像機の画面とを切り換える際に用いる。このように、携帯テレビ電話３５と通信可能状態にあるテレビであるか否かをテレビ画面に表示させることで、ユーザは自己の選択が実際に行われたことを知ることができる。
【００２２】
以下に、携帯テレビ電話３５とテレビ受像機３１又は４５との間で通信を開始するための構成について２例を挙げて説明する。まず、第１の方法は、テレビ受像機３１又は４５側の少なくともいずれか一方から制御信号（いわゆるビーコン信号など）を定期的に送信し、このビーコン信号を受けた携帯テレビ電話３５が、通信を開始したい旨をテレビ受像機３１に対して伝える方法である。この際、どのテレビと通信を開始するかに関してはユーザが選択することができる。この方法のメリットは、一般的に通信に関連する消費電力は支配的でないテレビ側からビーコン信号を送信するため、強い電波を送信することができる点である。第２の方法は、テレビ受像機３１又は４５の方から携帯テレビ電話３５に対して、通信を開始したい旨を伝える方法であり、この場合には、携帯テレビ電話３５の表示画面に、通信を開始した方のテレビ受像機の識別マークを表示させる。この方法では、第１の方法のように、携帯テレビ電話３５はテレビ受像機１に対して定期的に応答する必要がなく、携帯テレビ電話３５はテレビ受像機３１からの通信開始を待つだけで良いので、携帯テレビ電話３５側での電力消費が少なく、バッテリの消費を気にしなくても良いという点である。
【００２３】
次に、携帯テレビ電話とテレビ受像機との間の、通信によるやり取りの手順について説明を行う。図５は通信開始の際の手順を示す図であり、図６は、通信終了の際の手順を示す図である。上記第１の方法に従うものとする。適宜、図１から図４までを参照しつつ説明を行う。図５に示すように、通信開始時（接続時）は、まず、テレビ受像機１から携帯テレビ電話３に向けて、無線により通信への参入要求信号１０１が送信される。これを受けた携帯テレビ電話３は、テレビ受像機１に向けて無線により参入応答信号１０３を送信する。この際、合わせてキー情報ＩＤ１を送る。これを受けて、テレビ受像機１は、例えば、ＴＶ画面にアイコンを表示する（１０３）。
【００２４】
次に、携帯テレビ電話３の切り換えボタン３７を押すと（１０４）、テレビ受像機１に対して、接続要求１０５（機器を特定しやすいように、赤外線などの直進性の良い信号を用いるのが好ましい。）を行う。この際、合わせてキー情報ＩＤ２を送る。ここで、キー情報ＩＤ１とキー情報ＩＤ２との比較（キー判定１０６）を行う。両者が一致しない場合には（Ｎｏ）、その後の処理は行われないので、接続は許可されないことになる。キー判定１０６においてキー情報が一致すれば（ＹＥＳ）、テレビ受像機１から携帯テレビ電話３に向けて、無線により接続を許可する旨の接続許可信号１０７が送信される。さらに、テレビ受像機１において、子画面表示１０８を行う。接続許可信号１０７を受けた携帯テレビ電話３は、テレビ受像機１に対して、例えば、自己が現在又は以前に受信した映像信号を無線により送信し続ける。切り換えボタン３７を押してテレビ受像機１との通信が開始されると、例えば、テレビ受像機１の音声のボリュームが下がるなどにより、携帯テレビ電話３による通話が行いやすくなるようにしても良い。撮像装置１７により撮像した利用者側の画像を相手方に送るようにしても良い。この場合にも、通話スタイルを代えずに相手方に自己の様子を送ることができる。
【００２５】
尚、上記映像信号を無線により携帯テレビ電話３からテレビジョン受像機１に送る際に、キー情報ＩＤ１により暗号化して送るのが好ましい。暗号情報ＩＤ１は既にテレビジョン受像機１に送られており、これを用いて映像情報を復号し、テレビ画面１１又は子画面１５に表示させることができる。子画面１５に表示させることにより、現在視聴中のテレビ番組の視聴を継続しつつ、無線により送られてきた情報（例えば相手側の様子）などを子画面１５において確認し通話も行うことができる。テレビ番組を子画面に相手方の状況を全体画面に表示させるようにしても良いし、そのための切り換えを行えるようにしても良い。
【００２６】
尚、上記アイコン（マーク）の表示は、携帯テレビ電話３からビーコン信号を受け取った旨の通知を受けた場合であって、かつ、通話状態又は呼び出し状態である場合にされる表示と、携帯テレビ電話３からビーコン信号を受け取った旨の通知を受けた場合であって、通話状態又は呼び出し状態にはない場合にされる表示とで識別可能に表示されるのが好ましい。前者の場合に、初めて通話を行うための条件が揃ったことになるからである。
マークは、一方が完全な表示、他方が点滅状態の表示などでも良い。
【００２７】
図５に示すように、映像信号を、携帯テレビ電話３からテレビジョン受像機１に対して片方向のみの通信を行うことにより、帯域を確保し、きれいな映像を表示させることができる。映像情報も暗号化することで、権利の無い他人が映像を視聴するのを防止することができる。
【００２８】
次に、接続終了時の動作について主として図６を参照しつつ説明を行う。まず、携帯テレビ電話３からテレビ受像機１に対して映像信号１２１が無線により送信されている状態から、携帯テレビ電話３の切り換えボタン３７を押すと、接続を切る旨の要求１２３が赤外線により送信される。この際、合わせてキー情報１２４も送る。テレビ受像機１は、キー情報の一致判定１２５を行い、一致していない場合には映像表示を継続する。キー情報が一致している場合（ＹＥＳ）には、表示していた子画面の表示を停止し（１２６）、切断許可信号１２７を無線により携帯テレビ電話３に送る。これにより、携帯テレビ電話３とテレビ受像機との通信状態を解除することができる。尚、接続解除動作においても、キー情報による照合を行うことにより、無関係なアクセスを受けて意図せぬ接続解除操作に入ってしまう事を防止することができる。
【００２９】
以上のように、図５及び図６を参照して説明した手順により、携帯テレビ電話３とテレビ受像機１との通信状態を接続又は接続解除することができる。尚、携帯テレビ電話３からテレビ受像機１を特定する際に、上記の説明では、直線性の強い赤外線により接続要求又は切断要求を行う場合について説明したが、相手方が特定されていれば、無線信号により要求を行っても良い。また、映像を表示させる機器を特定する際に、日頃から良く使うテレビ受像機に関しては、当初から携帯テレビ電話機にその機器を登録しておくことにより、簡単にそのテレビ受像機にアクセスするように構成することもできる。
【００３０】
次に、本発明の第２の実施の形態による通信システムについて図面を参照しつつ説明を行う。図７は、本実施の形態による通信システムであって、コンテンツ配信サーバを含む通信システムの構成例を示す図である。本実施の形態による通信システムでは、公衆網（ネットワーク）５を介して携帯電話機３と接続可能なコンテンツ配信サーバ５１が設けられている点に特徴がある。コンテンツ配信サーバ５１は、携帯テレビ電話３に対してネットワーク経由で、動画、音楽、ストリーミングデータなどの各種コンテンツを配信するサーバである。携帯テレビ電話３の利用者が、コンテンツ配信サーバ５１から所望のコンテンツを取得する際に、モニタ画面２１に映像を表示させたり、携帯テレビ電話機のスピーカにより音楽を再生したりするのでは、満足できない場合も多い。
【００３１】
このような場合に、携帯テレビ電話３は、コンテンツの配信要求をコンテンツ配信サーバ５１に行うとともに、上述の手順で所望のテレビ受像機１に対して接続を行うことにより、コンテンツ配信サーバ５１から送られてきたコンテンツを無線でテレビ受像機１に送信し、子画面１５又はテレビ画面１１に表示させる。これにより、良質な映像又は音声を視聴することができる。この際、コンテンツ配信サーバ５１から取得したキー情報を上述のキー情報として用いることにより、コンテンツ視聴に関する正当な権利を有する者だけにコンテンツを良質な状態で視聴させることができる。この場合にも、無線ネットワーク７による映像などの情報の一方向のみの送信により、より良質な映像等をテレビ受像機において楽しむことができる。
【００３２】
次に、本発明の第３の実施の形態による通信システムについて図面を参照しつつ説明を行う。図８は、本実施の形態による通信システムの構成例を示す図である。図９（Ａ）は、携帯電話機間の映像信号の伝送に用いられるＭＰＥＧ−４を含むパケットデータの簡単化したデータ構成例を示す図である。図９（Ｂ）は、携帯テレビ電話機の操作ボタン（数字キー）と、通信システム内の通信機能と表示機能とを有するテレビ受像機（図４参照）と、その識別ＩＤとの関係を示すテーブルである。図１０は、携帯テレビ電話とテレビ受像機との間におけるやり取りの手順を示す図である。適宜、図３、図４を参照して説明を行う。第１及び第２の実施の形態による通信システムと本実施の形態による通信システムとの相違点は、以下の通りである。すなわち、前者が例えば携帯テレビ電話機からの赤外線信号などの直進性に優れたダイレクト信号により相手方からの映像を表示させるためのテレビ受像機を選択する。これに対して、後者では、テレビ受像器のそれぞれに対してテレビ受像機をユニークに識別するための識別ＩＤを付与しておく。例えば、携帯テレビ電話機の操作ボタン（数字キー）などと識別ＩＤとを関連付けしておき、数字キーを押すことにより、ダイレクト信号を用いなくても相手方の映像を表示させるテレビ受像機を識別ＩＤに基づいて特定する。以下に、より具体的に実施の形態について説明する。
【００３３】
図８に示すように、例えば、携帯テレビ電話３によりテレビ電話を行う場所に、テレビ受像機Ｘと、テレビ受像機Ｙと、テレビ受像機Ｚと、が視聴可能な状態で設置されているものとする。図４に示すテレビ受像機の機能ブロックにおけるリモコン受光部８０に対応するリモコン受光部８０ａ、８０ｂ、８０ｃとともに、テレビ受像機Ｘ、Ｙ，Ｚに無線通信部７２に対応する無線通信部７２ａ、７２ｂ、７２ｃがそれぞれ設けられている。無線通信部７２と携帯テレビ電話３との間の通信には、特に直進性などを有していない一般的な高周波信号が用いられる。携帯テレビ電話３のユーザは、直進性に基づく信号ではなく、テレビ受像機と特定する他の手段により、相手方の映像をいずれのテレビ受像機に表示させるかを決定する。例えば、図９（Ｂ）に示すように、携帯テレビ電話３の数字キー（チャネルボタン）２３のいずれかと、テレビ受像機のそれぞれと、を予め関連付けしておく。図９（Ｂ）に示すように、例えば、携帯テレビ電話３の数字キー“１”とテレビ受像機Ｘとを対応付けし、識別番号（ＩＤ）として例えばＸ１を付与する。この識別番号を含むテーブルは、図３に示す携帯テレビ電話３の記憶部５７の一領域であるＩＤ記憶領域５７ａに記憶されるとともに、図４に示すテレビ受像機の記憶部７７の記憶領域７７ａに、対応付けされた数字キーの番号が記憶されている。これにより、ユーザは携帯テレビ電話３における相手方の映像を任意のテレビ受像機に表示させることができる。尚、複数のテレビ受像機に同じ通話相手からの映像を表示させることも可能であり、また、第１の通話相手との通話中に別の第２の通話相手からの通話があった場合には、それぞれ異なるテレビ受像機に相手方の映像を表示させることも可能である。
【００３４】
次に、上記通話及び表示処理の流れについて説明する。図１０を参照しつつ、携帯テレビ電話３と相手方の携帯テレビ電話２００と、テレビ受像機Ｘ（Ｙ，Ｚ）との間のやり取りを説明する。図１０に示すように、まず、携帯テレビ電話３を用いて、テレビ受像機Ｘ（又はＹ，Ｚ）に対して、識別ＩＤを付与する（２０１）。この場合には、リモコン発光部６０（図３）を用いて指定しても良いし、無線通信部７２を介してテレビ受像機Ｘの例えば機器ＩＤを指定しても良い。この処理により、テレビ受像機Ｘ（Ｙ，Ｚ）のＩＤ記憶領域５７ａ（図３）に識別ＩＤ（この場合はＸ１）が記憶される。
【００３５】
相手方の携帯テレビ電話２００から携帯テレビ電話３にアクセスが行われ（２０３）、自己の携帯テレビ電話機３に着信すると（２０４）、ユーザ（自己）は、相手方映像を表示させたい例えばテレビ受像機Ｘと関連付けされた数字キー“１”を押す（２０５）。識別ＩＤ（Ｘ１）がテレビ受像機Ｘに伝送され（２０６）る。テレビ受像機Ｘでは、識別ＩＤの判定処理２０７が行われる。この識別ＩＤがテレビ受像機ＸのＩＤ記憶領域７７ａに記憶されている識別ＩＤと比較され、不一致の場合には処理が終了する。一致している場合には、携帯テレビ電話３に対して接続許可信号が送信され（２０８）、これに応じて、相手方携帯テレビ電話２００から送られる映像がテレビ受像機Ｘに転送され（２０９）、テレビ受像機Ｘに相手方携帯テレビ電話２００から送られる映像が表示される。
【００３６】
以上の処理により、自己の携帯テレビ電話３からの指定により、相手方テレビ電話機２００からの映像を任意のテレビ受像機に表示させることができる。
【００３７】
尚、ユーザが指定したテレビ受像機に相手方からの映像を表示させる例を示したが、相手方から送られたＭＰＥＧ−４の映像データと、テレビ受像機の表示に関連する特性、例えば解像度や表示サイズなどに基づいて、自動的に適切な表示が可能なテレビ受像機を選択するようにしても良い。この場合には、例えば、図９（Ａ）に示すＭＰＥＧ-４のデータ構成のヘッダ部１８１に記載されているデータ部１８３のデータ容量などの特性に適したテレビ受像機を選択して相手方からの映像を表示させるようにすれば良い。
【００３８】
以上、本実施の形態による通信システムによれば、相手方からの映像を任意のテレビ受像機に表示させることができるため、表示に関する自由度が増すという利点がある。特に、表示特性（解像度、表示画面のインチ数など）や設置された位置が異なるテレビ受像機のうち表示特性的又は位置的に適した表示部を有するテレビ受像機に表示させることができるという点で有利である。
【００３９】
以上、本発明の実施の形態について説明したが、本発明は、これらの説明によって限定的に解釈されるものではない。例えば、テレビ受像機に表示させる情報として、映像に代えて、或いは、映像とともに音声を出力させるようにしても良い。テレビ受像機は、ＰＣなどにテレビチューナが取り付けられている装置でも良い。また、端末として携帯テレビ電話を例にして説明したが、一般的な携帯電話なども含まれるのはいうまでもない。
【００４０】
本発明によれば、電話の通話スタイルを変えることなく、携帯テレビ電話による通話が可能になるとともに、より良質な情報をテレビ受像機において出力することができるという利点がある。
【産業上の利用可能性】
【００４１】
本発明は、一般的な携帯電話や携帯端末を用いた場合にも適用することができる。
【図面の簡単な説明】
【００４２】
【図１】本発明の第１の実施の形態による通信システムの構成例を示す図である。
【図２】本発明の第１の実施の形態による通信システムの利用方法の一例を示す図である。
【図３】本発明の第１の実施の形態による携帯テレビ電話のシステム構成例を示す機能ブロック図である。
【図４】本発明の第１の実施の形態によるテレビ受像機のシステム構成例を示す機能ブロック図である。
【図５】携帯テレビ電話とテレビ受像機との間の、通信によるやり取りの手順について説明する図であり、通信開始の際の手順を示す図である。
【図６】携帯テレビ電話とテレビ受像機との間の、通信によるやり取りの手順について説明する図であり、通信終了の際の手順を示す図である。
【図７】本発明の第２の実施の形態による通信システムであって、コンテンツ配信サーバを含む通信システムの構成例を示す図である。
【図８】本発明の第３の実施の形態による通信システムの構成例を示す図である。
【図９】図９（Ａ）は、携帯電話機間の映像信号の伝送に用いられるＭＰＥＧ−４を含むパケットデータの簡単化したデータ構成例を示す図である。図９（Ｂ）は、携帯テレビ電話機の操作ボタン（数字キー）と、通信システム内の通信機能と表示機能とを有するテレビ受像機と、その識別ＩＤとの関係を示すテーブルである。
【図１０】携帯テレビ電話とテレビ受像機との間におけるやり取りの手順を示す図である。
【図１１】図１１（Ａ）は、正面から携帯電話をのぞき込むようにする携帯テレビ電話における一般的な通話スタイルを示す図である。図１１（Ｂ）は、耳にスピーカを、口にマイクロフォンを近づけた一般的な携帯電話の通話スタイルを示す図である。
【符号の説明】
【００４３】
Ａ…通信システム、１…テレビ受像機、３…携帯テレビ電話、５…公衆網（ネットワーク）、１１…テレビ画面、１５…子画面、１７…撮像装置、２１…モニタ画面、２３…入力部、２５…撮像装置、５１…制御部、５２…無線通信部、５３…携帯電話通信部、５４…撮像部（カメラ）、５５…マイクロフォン、５６…操作部、５７…記録部、５７ａ…ＩＤ記憶領域、５８…表示部（ＬＣＤモニタ）、５９…スピーカ、６０…リモコン発光部、７７…記憶部、７７ａ…ＩＤ記憶領域。
【図１】
2005287013.tif 000003
【図２】
2005287013.tif 000004
【図３】
2005287013.tif 000005
【図４】
2005287013.tif 000006
【図５】
2005287013.tif 000007
【図６】
2005287013.tif 000008
【図７】
2005287013.tif 000009
【図８】
2005287013.tif 000010
【図９】
2005287013.tif 000011
【図１０】
2005287013.tif 000012
【図１１】
2005287013.tif 000013